(57)【要約】【課題】広開口化と広視野角化とを両立する。【解決手段】第１の方向および第２の方向に配列された複数の画素を備える。各画素は、第１の副画素と、第１の副画素に対して第１の方向に隣接配置された第２の副画素と、第１の副画素および第２の副画素の少なくとも一方に対して第２の方向に隣接配置された第３の副画素と、第１の方向における第３の副画素の視野角を制限するように、第３の副画素の配置位置に対応して配置された遮光部とを有する。【選択図】図２
2015146304.tif 000002
【特許請求の範囲】
【請求項１】
第１の方向および第２の方向に配列された複数の画素を備え、
前記各画素は、
第１の副画素と、
前記第１の副画素に対して前記第１の方向に隣接配置された第２の副画素と、
前記第１の副画素および前記第２の副画素の少なくとも一方に対して前記第２の方向に隣接配置された第３の副画素と、
前記第１の方向における前記第３の副画素の視野角を制限するように、前記第３の副画素の配置位置に対応して配置された遮光部と
を有する表示装置。
【請求項２】
前記第３の副画素は、前記第１の副画素および前記第２の副画素の双方に対して前記第２の方向に隣接配置され、
前記遮光部は、前記第１の方向において、隣り合う画素の境界部分に設けられた第１の部分と、１画素内における前記第３の副画素内に設けられた第２の部分とを含む
請求項１に記載の表示装置。
【請求項３】
前記第２の方向において、前記遮光部の幅は、前記第３の副画素の開口幅よりも短い
請求項２に記載の表示装置。
【請求項４】
前記第１の副画素は第１の色光を透過する第１の色フィルタを含み、
前記第２の副画素は第２の色光を透過する第２の色フィルタを含み、
前記第３の副画素は第３の色光を透過する第３の色フィルタを含み、
前記第１の色フィルタと前記第２の色フィルタとによって、前記第１の副画素と前記第２の副画素とが前記第１の方向に互いに色分離がなされると共に、前記第３の副画素が前記第２の方向に色分離がなされ、
前記第３の色フィルタによって、前記第１の副画素および前記第２の副画素が前記第２の方向に色分離がなされる
請求項２に記載の表示装置。
【請求項５】
前記第１の部分と前記第２の部分は、互いに大きさが異なる
請求項２に記載の表示装置。
【請求項６】
前記第２の部分は、前記第１の方向において、前記第３の副画素内の中心部に設けられている
請求項２に記載の表示装置。
【請求項７】
前記第２の部分は、前記第１の方向において、前記第３の副画素内の中心部とは異なる位置に設けられている
請求項２に記載の表示装置。
【請求項８】
１画素内において、前記第２の部分を境界として、前記第３の副画素内に第１の画素領域と第２の画素領域とが形成され、
前記第１の画素領域の視野角特性と前記第２の画素領域の視野角特性とが異なる
請求項７に記載の表示装置。
【請求項９】
前記遮光部は、長方形状、楕円形状、または円形状である
請求項２に記載の表示装置。
【請求項１０】
前記第１の副画素は第１の色光を発する第１の発光素子を含み、
前記第２の副画素は第２の色光を発する第２の発光素子を含み、
前記第３の副画素は第３の色光を発する第３の発光素子を含み、
前記第３の発光素子は、１画素内において前記第２の部分が設けられた位置に対応する部分で分割されている
請求項２に記載の表示装置。
【請求項１１】
前記第２の方向において、前記第３の発光素子の幅と、前記遮光部の幅とが異なる
請求項１０に記載の表示装置。
【請求項１２】
前記第１の副画素から第１の色光が発せられ、
前記第２の副画素から第２の色光が発せられ、
前記第３の副画素から、前記第１の色光および前記第２の色光よりも波長の短い第３の色光が発せられ、
前記第２の方向において、前記第３の副画素の開口幅が、前記第１の副画素の開口幅および前記第２の副画素の開口幅よりも短い
請求項１に記載の表示装置。
【請求項１３】
前記各画素は、前記第１の副画素に対して前記第２の方向に隣接配置された第４の副画素をさらに有し、
前記第３の副画素は、前記第２の副画素に対して前記第２の方向に隣接配置されると共に、前記第４の副画素に対して前記第１の方向に隣接配置され、
前記遮光部は、前記第１の副画素および前記第３の副画素との境界部分を含むように、前記第４の副画素の周囲に配置されている
請求項１に記載の表示装置。
【請求項１４】
前記遮光部は、前記第１の方向における前記第３の副画素の視野角を制限すると共に、前記第４の副画素の前記第１の方向および前記第２の方向の視野角を制限する
請求項１３に記載の表示装置。
【請求項１５】
複数の画素が第１の方向および第２の方向に配列された表示装置を備え、
前記各画素は、
第１の副画素と、
前記第１の副画素に対して前記第１の方向に隣接配置された第２の副画素と、
前記第１の副画素および前記第２の副画素の少なくとも一方に対して前記第２の方向に隣接配置された第３の副画素と、
前記第１の方向における前記第３の副画素の視野角を制限するように、前記第３の副画素の配置位置に対応して配置された遮光部と
を有する電子機器。
【発明の詳細な説明】
【技術分野】
【０００１】
本開示は、１画素内に複数の副画素を有する表示装置、およびそのような表示装置を用いた電子機器に関する。
【背景技術】
【０００２】
有機ＥＬ（Electro Luminescence）素子等を用いた表示装置における画素配列構造としては、ストライプ配列やデルタ配列構造が知られている。その他、特許文献１に記載の画素配列構造が知られている。
【先行技術文献】
【特許文献】
【０００３】
【特許文献１】特開２０１１−２４９３３４号公報
【発明の概要】
【発明が解決しようとする課題】
【０００４】
長寿命化、および広視野角化を目的とした画素の広開口化にはデルタ配列構造が有利であるが、画素の行方向および列方向のラインパターンのギザギザ感を回避することが困難である。一方、ストライプ配列構造を採用した場合、ギザギザ感は回避できるが、１画素内において副画素を色分離するための総長が長く、開口率を落とすことになり、輝度劣化の寿命が悪化する。
【０００５】
そこで、特許文献１に記載のように、高解像度を実現しながら開口率を確保することができる画素配列構造が提案されている。特許文献１に記載の画素配列構造では、１画素内において同一の列に第１の副画素および第２の副画素を形成すると共に、第１の副画素および第２の副画素に隣接する２つの行に第３の副画素を形成することで開口率を向上させている。この画素配列構造では、行方向における第３の副画素の開口幅が、第１の副画素および第２の副画素の開口幅に比べて長くなっている。
【０００６】
しかしながら、特許文献１に記載の画素配列構造では、行方向において、第３の副画素と第１の副画素および第２の副画素とで開口幅が異なることが原因となり、視野角特性が悪化する。現象としては、全色発光（白色発光）時の色つきが発生する。この現象は画素が狭ピッチになるほど顕著に現れ、表示パネルを正面から見た像と角度をつけて見た像とで色味が異なり、各色の副画素の開口幅が同じストライプ配列やデルタ配列の画素配列構造に比べ、視野角特性が悪化する原因となる。これは、２０００ｐｐｉ超の高精細パネルにおいて顕著に見られ、ディスプレイの高精細化が求められる昨今、大きな課題となる。特にビューファインダやヘッドマウントディスプレイ用途の表示パネルは、すでに２０００ｐｐｉ超の領域に達しており、そのようなディスプレイ用途としては、パネル品質を落としてしまうことが判明している。
【０００７】
本開示の目的は、広開口化と広視野角化とを両立できる表示装置、および電子機器を提供することにある。
【課題を解決するための手段】
【０００８】
本開示による表示装置は、第１の方向および第２の方向に配列された複数の画素を備え、各画素が、第１の副画素と、第１の副画素に対して第１の方向に隣接配置された第２の副画素と、第１の副画素および第２の副画素の少なくとも一方に対して第２の方向に隣接配置された第３の副画素と、第１の方向における第３の副画素の視野角を制限するように、第３の副画素の配置位置に対応して配置された遮光部とを有するものである。
【０００９】
本開示による電子機器は、複数の画素が第１の方向および第２の方向に配列された表示装置を備え、各画素が、第１の副画素と、第１の副画素に対して第１の方向に隣接配置された第２の副画素と、第１の副画素および第２の副画素の少なくとも一方に対して第２の方向に隣接配置された第３の副画素と、第１の方向における第３の副画素の視野角を制限するように、第３の副画素の配置位置に対応して配置された遮光部とを有するものである。
【００１０】
本開示による表示装置、または電子機器では、遮光部によって、第１の方向における第３の副画素の視野角が制限される。
【発明の効果】
【００１１】
本開示の表示装置、または電子機器によれば、遮光部によって、第１の方向における第３の副画素の視野角を制限するようにしたので、広開口化と広視野角化とを両立することができる。
なお、ここに記載された効果は必ずしも限定されるものではなく、本開示中に記載されたいずれかの効果であってもよい。
【図面の簡単な説明】
【００１２】
【図１】本開示の第１の実施の形態に係る表示装置の一例を示す平面図である。
【図２】図１に示した表示装置における画素の色フィルタ部分の配列構造の一例を示す平面図である。
【図３】図１に示した表示装置における１画素分の色フィルタ部分の構成の一例を示す平面図である。
【図４】図１に示した表示装置における画素の発光素子の配列構造の一例を示す平面図である。
【図５】図１に示した表示装置における画素の断面構造の一例を示す断面図である。
【図６】図１に示した表示装置の回路構成の一例を示すブロック図である。
【図７】図１に示した表示装置における画素の駆動回路の一例を示す回路図である。
【図８】図１に示した表示装置における画素の発光素子の断面構造の一例を示す断面図である。
【図９】図１に示した表示装置における画素の発光素子の断面構造の他の例を示す断面図である。
【図１０】図１に示した表示装置における画素の一設計例を示す平面図である。
【図１１】図１０に示した設計例の画素の横方向の視野角特性を示す特性図である。
【図１２】図１０に示した設計例の画素の縦方向の視野角特性を示す特性図である。
【図１３】図１０に示した設計例に対して遮光部の幅を長くした場合の画素の縦方向の視野角特性を示す特性図である。
【図１４】図１０に示した設計例に対して遮光部の幅を短くした場合の画素の縦方向の視野角特性を示す特性図である。
【図１５】図１０に示した設計例に対する比較例として、遮光部を設けなかった場合の画素の縦方向の視野角特性を示す特性図である。
【図１６】第１の実施の形態の第１の変形例に係る表示装置における画素の色フィルタ部分の配列構造の一例を示す平面図である。
【図１７】第２の変形例に係る表示装置における画素の色フィルタ部分の配列構造の一例を示す平面図である。
【図１８】第３の変形例に係る表示装置における画素の色フィルタ部分の配列構造の一例を示す平面図である。
【図１９】図１８に示した表示装置における１画素分の色フィルタ部分の構成の一例を示す平面図である。
【図２０】第４の変形例に係る表示装置における画素の断面構造の一例を示す断面図である。
【図２１】第５の変形例に係る表示装置における画素の断面構造の一例を示す断面図である。
【図２２】第２の実施の形態に係る表示装置における画素の色フィルタ部分の配列構造の一例を示す平面図である。
【図２３】図２２に示した表示装置における１画素分の色フィルタ部分の構成の一例を示す平面図である。
【図２４】図２２に示した表示装置における画素の発光素子の配列構造の一例を示す平面図である。
【図２５】図２２に示した表示装置における第３の副画素の縦方向の視野角特性を示す説明図である。
【図２６】第３の実施の形態に係る表示装置の一例を示す平面図である。
【図２７】図２６に示した表示装置における画素の色フィルタ部分の配列構造の第１の例を示す平面図である。
【図２８】図２７に示した第１の例における１画素分の色フィルタ部分の構成の一例を示す平面図である。
【図２９】図２７に示した第１の例において遮光部を省いた色フィルタのみの配列構造の一例を示す平面図である。
【図３０】図２６に示した表示装置における画素の色フィルタ部分の配列構造の第２の例を示す平面図である。
【図３１】図３０に示した第２の例における１画素分の色フィルタ部分の構成の一例を示す平面図である。
【図３２】図３０に示した第２の例において遮光部を省いた色フィルタのみの配列構造の一例を示す平面図である。
【図３３】表示装置の電子機器への第１の適用例としてのヘッドマウントディスプレイの一構成例を示す外観図である。
【図３４】表示装置の電子機器への第２の適用例としてのカメラの一構成例を示す前側外観図である。
【図３５】表示装置の電子機器への第２の適用例としてのカメラの一構成例を示す背面側外観図である。
【図３６】表示装置のその他の構成例を示す平面図である。
【図３７】図３６に示した表示装置における画素の色フィルタ部分の配列構造の一例を示す平面図である。
【発明を実施するための形態】
【００１３】
以下、本開示の実施の形態について図面を参照して詳細に説明する。なお、説明は以下の順序で行う。
＜１．第１の実施の形態＞（１画素内において中心部に遮光部を配置する例）
１．１  構成（図１〜図９）
１．２  具体的な設計例（図１０〜図１４）
１．３  効果
１．４  変形例
１．４．１  第１の変形例（図１６）
１．４．２  第２の変形例（図１７）
１．４．３  第３の変形例（図１８、図１９）
１．４．４  第４の変形例（図２０）
１．４．５  第５の変形例（図２１）
＜２．第２の実施の形態＞（１画素内において中心部とは異なる位置に遮光部を配置する例）（図２２〜図２５）
２．１  構成
２．２  作用および効果
＜３．第３の実施の形態＞（４色型の表示装置の例）（図２６〜図３２）
３．１  画素の配列構造の第１の例
３．２  画素の配列構造の第２の例
＜４．表示装置の電子機器への適用例＞（図３３〜図３５）
４．１  第１の適用例（図３３）
４．２  第２の適用例（図３４、図３５）
＜５．その他の実施の形態＞（図３６、図３７）
【００１４】
＜１．第１の実施の形態＞
［１．１  構成］
（表示装置１の全体構成）
図１は、本開示の第１の実施の形態に係る表示装置１の平面構成の一例を示している。この表示装置１は、テレビジョン装置などに用いられるものであり、表示領域１１０に複数の画素２を、第１の方向および第２の方向にマトリクス状に配置した構成を有している。
【００１５】
各画素２は、第１の副画素２Ｒと、第２の副画素２Ｇと、第３の副画素２Ｂとを有している。第１の副画素２Ｒと第２の副画素２Ｇは、第１の方向において互いに隣接配置されている。第３の副画素２Ｂは、第１の副画素２Ｒおよび第２の副画素２Ｇの双方に対して第２の方向に隣接配置されている。
【００１６】
なお、本実施の形態では、第１の方向が表示面内の縦方向（Ｙ方向）、第２の方向が表示面内の横方向（Ｘ方向）であるものとして画素２の配列構造を説明する。表示面内とは、例えば図１においては紙面に対して平行な面内（ＸＹ平面内）をいう。また、例えば図１においては紙面に対して直交する方向をＺ方向とし、画素２の厚み方向をＺ方向として説明する。
【００１７】
なお、図示した副画素の配置例に限らず、例えば第１の副画素２Ｒと第２の副画素２Ｇとが逆の配置になっていてもよい。すなわち、第１の副画素２Ｒが第２の副画素２Ｇに対して下側に隣接配置された構成であってもよい。
【００１８】
（画素２の配列構造）
各画素２は、所定の色光を発する発光素子と、所定の色光を透過する色フィルタ２３とを有している。図２は、表示装置１における画素２の色フィルタ部分の配列構造の一例を示している。図３は、１画素分の色フィルタ部分の構成の一例を示している。図４は、画素２の発光素子の配列構造の一例を示している。図５は、画素２の断面構造の一例を示している。
【００１９】
第１の副画素２Ｒは、第１の色光ＬＲを発する第１の発光素子１０Ｒ（図４、図５）と、第１の発光素子１０Ｒからの第１の色光ＬＲを透過する第１の色フィルタ２３Ｒ（図２、図３、図５）とを含んでいる。第２の副画素２Ｇは、第２の色光ＬＧを発する第２の発光素子１０Ｇ（図４、図５）と、第２の発光素子１０Ｇからの第２の色光ＬＧを透過する第２の色フィルタ２３Ｇ（図２、図３、図５）とを含んでいる。第３の副画素２Ｂは、第１の色光ＬＲおよび第２の色光ＬＧよりも波長の短い第３の色光ＬＢを発する第３の発光素子１０Ｂ（図４、図５）と、第３の発光素子１０Ｂからの第３の色光ＬＢを透過する第３の色フィルタ２３Ｂ（図２、図３、図５）とを含んでいる。
【００２０】
第１の発光素子１０Ｒは、第１の色光ＬＲとして例えば赤色光を発するものである。第２の発光素子１０Ｇは、第２の色光ＬＧとして例えば緑色光を発するものである。第３の発光素子１０Ｂは、第３の色光ＬＢとして例えば青色光を発するものである。第１の発光素子１０Ｒ、第２の発光素子１０Ｇ、および第３の発光素子１０Ｂはそれぞれ、例えば後述する有機ＥＬ素子のほか、無機ＥＬ素子，半導体レーザ，ＬＥＤ（Light Emitting Diode）などにより構成することができる。
【００２１】
各画素２には、ブラックマトリクスとしての遮光部２４が設けられている。遮光部２４は、第１の方向（Ｙ方向）における第３の副画素２Ｂの視野角を制限するように、第３の副画素２Ｂの配置位置に対応して配置されている。遮光部２４は、図２および図３に示したように、第１の遮光部分２４−１と第２の遮光部分２４−２とからなる。第１の遮光部分２４−１は、第１の方向において、隣り合う画素の境界部分に設けられている。第２の遮光部分２４−２は、１画素内における第３の副画素２Ｂ内の中心部に設けられている。これにより、１画素内において、第２の遮光部分２４−２を境界として、第３の副画素２Ｂ内に第１の画素領域２Ｂ−１と第２の画素領域２Ｂ−２とが形成されている。
【００２２】
第１の発光素子１０Ｒ、第２の発光素子１０Ｇ、および第３の発光素子１０Ｂの平面形状は、図４に示したように、色フィルタ２３と遮光部２４の配置位置とに応じた形状となっていることが好ましい。第３の発光素子１０Ｂは、１画素内において第２の遮光部分２４−２が設けられた位置に対応する部分で分割されていることが好ましい。第２の方向において、第３の発光素子１０Ｂの幅と、遮光部２４の幅とが異なっていてもよい。第１の発光素子１０Ｒ、第２の発光素子１０Ｇ、および第３の発光素子１０Ｂはそれぞれ、発光層１６（発光面）と下部電極１４（反射面）とを有していてもよい。
【００２３】
遮光部２４は、例えば黒色の着色剤を混入した光学濃度が１以上の黒色の樹脂膜、または薄膜の干渉を利用した薄膜フィルタにより構成されている。このうち黒色の樹脂膜により構成するようにすれば、安価で容易に形成することができるので好ましい。薄膜フィルタは、例えば、金属，金属窒化物あるいは金属酸化物よりなる薄膜を１層以上積層し、薄膜の干渉を利用して光を減衰させるものである。薄膜フィルタとしては、具体的には、クロムと酸化クロム（ＩＩＩ）（Ｃｒ2Ｏ3）とを交互に積層したものが挙げられる。
【００２４】
色フィルタ２３は、例えば顔料を混入した樹脂により構成されている。顔料を選択することによって目的とする色の波長域における光透過率が高く、他の波長域における光透過率が低くなるように調整されている。
【００２５】
図５に示したように、発光素子１０Ｒ，１０Ｇ，１０Ｂは。第１の基板１１に設けられている。遮光部２４および色フィルタ２３は第２の基板２１に設けられている。第１の基板１１および第２の基板２１は、ガラス，シリコン（Ｓｉ）ウェハあるいは樹脂等により構成されている。第１の基板１１と第２の基板２１とは、発光素子１０Ｒ，１０Ｇ，１０Ｂ、遮光部２４および色フィルタ２３を内側にして対向配置され、両者の間には樹脂層３２および保護膜３１等よりなる中間層３０が設けられている。
【００２６】
図５に示したように、第１の色フィルタ２３Ｒと第３の色フィルタ２３Ｂとによる色境界２５を境界として、第１の副画素２Ｒと第３の副画素２Ｂとに関して、第２の方向に互いに色分離がなされる。同様に、第２の色フィルタ２３Ｇと第３の色フィルタ２３Ｂとによる色境界２５を境界として、第２の副画素２Ｇと第３の副画素２Ｂとに関して、第２の方向に互いに色分離がなされる。同様に、第１の色フィルタ２３Ｒと第２の色フィルタ２３Ｇとによる色境界２５を境界として、第１の副画素２Ｒと第２の副画素２Ｇとに関して、第１の方向に互いに色分離がなされる。
【００２７】
このように、第１の副画素２Ｒと第２の副画素２Ｇは、色フィルタ２３によって、第１の方向と第２の方向との双方に色分離がなされる。すなわち、色フィルタ２３によって、画素間および副画素間で色分離がなされる。これにより、第１の副画素２Ｒと第２の副画素２Ｇに関しては、色フィルタ２３によって第１の方向と第２の方向との双方に視野角が制限される。
【００２８】
これに対して、第３の副画素２Ｂは、色フィルタ２３によって第２の方向には色分離がなされるが、第１の方向には色分離されない構造となっている。すなわち、第３の副画素２Ｂに関しては、色フィルタ２３によって第２の方向には視野角が制限されるが、第１の方向には視野角が制限されない。第３の副画素２Ｂに関しては、遮光部２４によって第１の方向の視野角が制限される構造となっている。これにより、色分離されていない方位の視野角特性を改善させるようになっている。
【００２９】
なお、図２において、ＬBM-Hは遮光部２４の横方向の幅、ＬBM-Vは遮光部２４の縦方向の幅を示す。Ｌsubpix1-Hは第１の副画素２Ｒの横方向の開口幅、Ｌsubpix1-Vは第１の副画素２Ｒの縦方向の開口幅を示す。Ｌsubpix2-Hは第２の副画素２Ｇの横方向の開口幅、Ｌsubpix2-Vは第２の副画素２Ｇの縦方向の開口幅を示す。
【００３０】
また、Ｌsubpix3-Hは第３の副画素２Ｂの横方向の開口幅、Ｌsubpix3-Vは第３の副画素２Ｂの縦方向の開口幅を示す。ここで、第３の副画素２Ｂの開口幅とは、第３の副画素２Ｂの第１の画素領域２Ｂ−１と第２の画素領域２Ｂ−２とのそれぞれの開口幅を示す。本実施の形態では、第１の方向において第３の副画素２Ｂ内の中心部と、１画素の境界部分とに遮光部２４が設けられているので、第１の画素領域２Ｂ−１と第２の画素領域２Ｂ−２とのそれぞれの縦方向の開口幅Ｌsubpix3-Vは同じ大きさとなっている。
【００３１】
第２の方向において、遮光部２４の幅は、第３の副画素２Ｂの開口幅よりも短いことが好ましい。例えば、遮光部２４は、第３の副画素２Ｂの色を分離する方向（第２の方向）に長軸をとる長方形を基本形状とし、（式１）に示すように、長軸の長さは第３の副画素２Ｂの開口幅よりも小さくすることが好ましい。
【００３２】
ＬBM-H ＜ Ｌsubpix3-H  ……（式１）
【００３３】
また、以下の（式２）に示すように、第１の副画素２Ｒの開口幅と第２の副画素２Ｇの開口幅は、第３の副画素２Ｂにおける色分離されている方向の開口幅よりも広い構造とすることが好ましい。
【００３４】
Ｌsubpix3-H ＜ Ｌsubpix1-H
Ｌsubpix3-H ＜ Ｌsubpix2-H
……（式２）
【００３５】
光取り出しが低下するため、各色フィルタ２３Ｒ，２３Ｇ，２３Ｂの境界部分（色境界２５）には遮光部２４は配置しない構造であることが好ましい。上述したように、第３の発光素子１０Ｂは、１画素内において第２の遮光部分２４−２が設けられた位置に対応する部分で分割されていることが好ましい（図４）。１画素内で第３の発光素子１０Ｂを分離する理由は、第３の発光素子１０Ｂから発せられた光が第２の遮光部分２４−２で反射し、表示パネルのセル内で干渉し、予期しないピークを生むことを避けるためである。
【００３６】
（画素２の駆動回路、および発光素子の構成）
図６は、表示装置１の回路構成の一例を示している。図７は、表示装置１における画素２の駆動回路の一例を示している。表示装置１は、上述したように発光素子１０Ｒ，１０Ｇ，１０Ｂとして有機ＥＬ素子を備えた有機ＥＬテレビジョン装置などとして用いられるものであり、例えば、表示領域１１０の周辺に、映像表示用のドライバである信号線駆動回路１２０および走査線駆動回路１３０を有している。
【００３７】
表示領域１１０内には画素駆動回路１４０が設けられている。図７は、画素駆動回路１４０の一例を表したものである。画素駆動回路１４０は、後述する下部電極１４の下層に形成されたアクティブ型の駆動回路である。すなわち、この画素駆動回路１４０は、駆動トランジスタＴｒ１および書き込みトランジスタＴｒ２と、これらトランジスタＴｒ１，Ｔｒ２の間のキャパシタ（保持容量）Ｃｓと、第１の電源ライン（Ｖｃｃ）および第２の電源ライン（ＧＮＤ）の間において駆動トランジスタＴｒ１に直列に接続された発光素子１０Ｒ（または１０Ｇ，１０Ｂ）とを有する。駆動トランジスタＴｒ１および書き込みトランジスタＴｒ２は、一般的な薄膜トランジスタにより構成され、その構成は例えば逆スタガ構造（いわゆるボトムゲート型）でもよいしスタガ構造（トップゲート型）でもよく特に限定されない。
【００３８】
画素駆動回路１４０において、列方向には信号線１２０Ａが複数配置され、行方向には走査線１３０Ａが複数配置されている。各信号線１２０Ａと各走査線１３０Ａとの交差点が、発光素子１０Ｒ，１０Ｇ，１０Ｂのいずれか１つ（副画素）に対応している。各信号線１２０Ａは、信号線駆動回路１２０に接続され、この信号線駆動回路１２０から信号線１２０Ａを介して書き込みトランジスタＴｒ２のソース電極に画像信号が供給されるようになっている。各走査線１３０Ａは走査線駆動回路１３０に接続され、この走査線駆動回路１３０から走査線１３０Ａを介して書き込みトランジスタＴｒ２のゲート電極に走査信号が順次供給されるようになっている。
【００３９】
図８は発光素子１０Ｒ，１０Ｇ，１０Ｂの断面構成を表したものである。発光素子１０Ｒ，１０Ｇ，１０Ｂは、それぞれ、第１の基板１１の側から、上述した画素駆動回路１４０の駆動トランジスタＴｒ１、平坦化絶縁膜１２、陽極としての下部電極１４、電極間絶縁膜１５、後述する発光層１６Ｃを含む有機層１６、および陰極としての上部電極１７がこの順に積層された発光素子である。駆動トランジスタＴｒ１は、平坦化絶縁膜１２に設けられた接続孔１２Ａを介して下部電極１４に電気的に接続されている。
【００４０】
このような発光素子１０Ｒ，１０Ｇ，１０Ｂは、保護層３１により被覆され、さらにこの保護層３１上に樹脂層３２を間にして第２の基板２１が全面にわたって貼り合わされることにより封止されている。保護層３１は、窒化ケイ素（ＳｉＮx），酸化ケイ素または金属酸化物などにより構成されている。樹脂層３２は、例えば熱硬化型樹脂または紫外線硬化型樹脂により構成されている。なお、保護層３１および樹脂層３２により、上述した中間層３０が構成されている。
【００４１】
平坦化絶縁膜１２は、画素駆動回路１４０が形成された第１の基板１１の表面を平坦化するためのものであり、微細な接続孔１２Ａが設けられるためパターン精度が良い材料により構成されていることが好ましい。平坦化絶縁膜１２の構成材料としては、例えば、ポリイミド等の有機材料、あるいは酸化シリコン（ＳｉＯ2）などの無機材料が挙げられる。
【００４２】
下部電極１４は、反射層としての機能も兼ねており、できるだけ高い反射率を有するようにすることが発光効率を高める上で望ましい。特に、下部電極１４が陽極として使われる場合には、下部電極１４は正孔注入性の高い材料により構成されていることが望ましい。このような下部電極１４としては、例えば、積層方向の厚み（以下、単に厚みと言う）が１００ｎｍ以上１０００ｎｍ以下であり、クロム（Ｃｒ），金（Ａｕ），白金（Ｐｔ），ニッケル（Ｎｉ），銅（Ｃｕ），タングステン（Ｗ）あるいは銀（Ａｇ）などの金属元素の単体または合金が挙げられる。下部電極１４の表面には、インジウムとスズの酸化物（ＩＴＯ）などの透明導電膜が設けられていてもよい。なお、アルミニウム（Ａｌ）合金のように、反射率が高くても、表面の酸化皮膜の存在や、仕事関数が大きくないことによる正孔注入障壁が問題となる材料においても、適切な正孔注入層を設けることによって下部電極１４として使用することが可能である。
【００４３】
電極間絶縁膜１５は、下部電極１４と上部電極１７との絶縁性を確保すると共に発光領域を所望の形状にするためのものであり、例えば感光性樹脂により構成されている。電極間絶縁膜１５は下部電極１４の周囲のみに設けられており、下部電極１４のうち電極間絶縁膜１５から露出した領域が発光領域となっている。なお、有機層１６および上部電極１７は、電極間絶縁膜１５の上にも設けられているが、発光が生じるのは発光領域だけである。
【００４４】
有機層１６は、例えば、下部電極１４の側から順に、正孔注入層１６Ａ，正孔輸送層１６Ｂ，発光層１６Ｃ，電子輸送層１６Ｄおよび電子注入層１６Ｅを積層した構成を有する。これらのうち発光層１６Ｃ以外の層は必要に応じて設ければよい。有機層１６は、発光素子１０Ｒ，１０Ｇ，１０Ｂの発光色によってそれぞれ構成が異なっていてもよい。正孔注入層１６Ａは、正孔注入効率を高めるためのものであると共に、リークを防止するためのバッファ層である。正孔輸送層１６Ｂは、発光層１６Ｃへの正孔輸送効率を高めるためのものである。発光層１６Ｃは、電界をかけることにより電子と正孔との再結合が起こり、光を発生するものである。電子輸送層１６Ｄは、発光層１６Ｃへの電子輸送効率を高めるためのものである。電子注入層１６Ｅは、電子注入効率を高めるためのものである。
【００４５】
上部電極１７は、例えば、厚みが１０ｎｍ程度であり、アルミニウム（Ａｌ），マグネシウム（Ｍｇ），カルシウム（Ｃａ）またはナトリウム（Ｎａ）の合金により構成されている。中でも、マグネシウムと銀との合金（Ｍｇ−Ａｇ合金）は、薄膜での導電性と吸収の小ささとを兼ね備えているので好ましい。Ｍｇ−Ａｇ合金におけるマグネシウムと銀との比率は特に限定されないが、膜厚比でＭｇ：Ａｇ＝２０：１〜１：１の範囲であることが望ましい。また、上部電極１７の材料は、アルミニウム（Ａｌ）とリチウム（Ｌｉ）との合金（Ａｌ−Ｌｉ合金）でもよい。
【００４６】
上部電極１７は、また、半透過性反射層としての機能を兼ねている。すなわち、１０Ｒ，１０Ｇ，１０Ｂは共振器構造ＭＣ１を有し、この共振器構造ＭＣ１により発光層１６Ｃで発生した光を下部電極１４と上部電極１７との間で共振させるようになっている。この共振器構造ＭＣ１は、下部電極１４と有機層１６との界面を反射面Ｐ１、中間層１８と電子注入層１６Ｅとの界面を半透過反射面Ｐ２とし、有機層１６を共振部として、発光層１６Ｃで発生した光を共振させて半透過反射面Ｐ２の側から取り出すものである。このように共振器構造ＭＣ１を有するようにすれば、発光層１６Ｃで発生した光が多重干渉を起こし、半透過反射面Ｐ２の側から取り出される光のスペクトルの半値幅が減少し、ピーク強度を高めることができる。すなわち、正面方向における光放射強度を高め、発光の色純度を向上させることができる。
【００４７】
反射面Ｐ１と半透過反射面Ｐ２との間には、取り出し発光強度が極大となる位置（共振面）が存在する。反射面Ｐ１と半透過反射面Ｐ２との間の光学的距離Ｌ１は、取り出し効率が高くなるような所定の条件を満たしていることが好ましい。
【００４８】
なお、発光素子１０Ｒ，１０Ｇ，１０Ｂは、図９に示したように、半透過反射面Ｐ２を有さず、発光層１６Ｃで発生した光を反射面Ｐ１において反射させ、この反射光と発光層１６Ｃで発生する光との間で干渉を生じさせるものであってもよい。
【００４９】
［１．２  具体的な設計例］
本実施の形態に係る表示装置１では、遮光部２４の横方向の大きさ（幅）を変えることで、色分離されない方位の視野角特性を調整することができる。例えば、遮光部２４の幅を小さくすることで、第３の副画素２Ｂの縦方向の視野角特性を広角化することができ、第１の副画素２Ｒ、および第２の副画素２Ｇの視野角特性に合わせることが可能となる。横方向の視野角特性は、第１の副画素２Ｒの第１の色フィルタ２３Ｒ、および第２の副画素２Ｇの第２の色フィルタ２３Ｇの幅と、第３の副画素２Ｂの第３の色フィルタ２３Ｂの幅とを異ならせることで調整することが可能である。
【００５０】
図１０は、本実施の形態における画素２の一設計例を示している。各部分の寸法は以下のとおりである。
１画素ピッチ：９．９μｍ
ＬBM-H：３．０μｍ
ＬBM-V：０．８μｍ
Ｌsubpix1-H：６．１μｍ
Ｌsubpix2-H：６．１μｍ
Ｌsubpix3-H：３．８μｍ
Ｌsubpix1-V：４．９５μｍ
Ｌsubpix2-V：４．９５μｍ
Ｌsubpix3-V：４．１５μｍ
【００５１】
例えば、発光素子１０Ｒ，１０Ｇ，１０Ｂと色フィルタ２３との間のギャップＤG（図５）と副画素の開口幅とが、１：１の関係となっている狭ピッチ画素においては、第３の副画素２Ｂの横方向の開口幅Ｌsubpix3-Hに対して、第１の副画素２Ｒの横方向の開口幅Ｌsubpix1-H、および第２の副画素２Ｇの横方向の開口幅Ｌsubpix2-Hは、それぞれ以下のように１〜３倍程度にするのが望ましい。
１ ＜ Ｌsubpix1-H／Ｌsubpix3-H ＜ ３
１ ＜ Ｌsubpix2-H／Ｌsubpix3-H ＜ ３
【００５２】
波長の短い第３の色光ＬＢを発する第３の副画素２Ｂは、第３の色光ＬＢよりも波長の長い光を発する第１の副画素２Ｒおよび第２の副画素２Ｇに比べ、表示パネルのセル内の干渉により、低角側（＜２０ｄｅｇ）において光取り出し効率が高く、視野角特性をあまり持たない。その特性を制御するため、第３の副画素２Ｂの横方向の開口幅を小さくすることで、第１の副画素２Ｒ、第２の副画素２Ｇ、および第３の副画素２Ｂの各副画素の横方向の視野角特性が一致し、色つきが改善される。
【００５３】
遮光部２４の横方向の幅ＬBM-Hを短くすると、第３の副画素２Ｂの縦方向の視野角は広くなる（横方向の視野角には影響しない）。本実施の形態の画素構造では、Ｌsubpix1-V、Ｌsubpix2-VよりもＬsubpix3-Vの開口幅が小さいため、ＬBM-Hを短くすることで第３の副画素２Ｂの視野角特性を広げる必要がある。（式３）から求められるＬBM-Hの値にすると、各副画素の縦方向視野角特性が一致し、色つきが改善される。なお、実使用上は必ずしも（式３）を完全に満たしている必要はなく、（式３）を略満たすような値であればよい。
【００５４】
ＬBM-H ＝ Ｌsubpix3-H × Ｌsubpix3-V／Ｌsubpix1-V
ＬBM-H ＝ Ｌsubpix3-H × Ｌsubpix3-V／Ｌsubpix2-V
……（式３）
【００５５】
図１１は、図１０に示した設計例による画素２の横方向の視野角特性を示している。図１２は、図１０に示した設計例による画素２の縦方向の視野角特性を示している。図１１および図１２では、白色の３刺激値Ｘ，Ｙ，Ｚを示す。刺激値Ｘは、第１の副画素２Ｒが発する第１の色光ＬＲに対応する。刺激値Ｙは、第２の副画素２Ｇが発する第２の色光ＬＧに対応する。刺激値Ｚは、第３の副画素２Ｂが発する第３の色光ＬＢに対応する。以降の他の視野角特性についても同様である。
【００５６】
図１０に示した設計例のようにＬBM-Vを０．８μｍにすることで、図１２に示したように縦方向の視野角特性において３刺激値Ｘ，Ｙ，Ｚが一致し、視野角特性の色つきが少ないことがわかる。また、図１１に示したように横方向の視野角特性においては、第３の副画素２Ｂの開口幅を第１の副画素２Ｒおよび第２の副画素２Ｇに比べて小さくすることで、３刺激値Ｘ，Ｙ，Ｚが一致し、視野角特性の色つきが少なくなる。
【００５７】
次に、遮光部２４の幅ＬBM-Hの値を変更した場合における、画素２の縦方向の視野角特性を、図１３および図１４に示す。図１３は図１０に示した設計例に対して遮光部２４の幅ＬBM-Hを長くした場合（ＬBM-H＝３．８μｍ）、図１４は図１０に示した設計例に対して遮光部２４の幅ＬBM-Hを短くした場合（ＬBM-H＝０．８μｍ）の視野角特性を示している。
【００５８】
図１３から、遮光部２４の幅ＬBM-Hを長くすることで、第３の副画素２Ｂ（刺激値Ｚ）の縦方向の視野角特性が狭くなることがわかる。また、図１４から、遮光部２４の幅ＬBM-Hを短くすることで、第３の副画素２Ｂ（刺激値Ｚ）の縦方向の視野角特性が広くなることがわかる。このように、遮光部２４の幅ＬBM-Hを変更することにより、視野角を制限する画素幅が変わることから、視野角特性を調整することができる。遮光部２４の幅ＬBM-H等の設計パラメータとして調整することで、画素ピッチ（開口幅）や、発光素子１０Ｒ，１０Ｇ，１０Ｂと色フィルタ２３との間のギャップＤGの値に応じて、最適な設計値を設定することが可能となる。
【００５９】
［１．３  効果］
以上のように、本実施の形態によれば、遮光部２４によって、第１の方向（Ｙ方向）における第３の副画素２Ｂの視野角を制限するようにしたので、広開口化と広視野角化とを両立することができる。
【００６０】
図１５は、図１０に示した設計例に対する比較例として、遮光部２４を設けなかった場合（ＬBM-H，ＬBM-V＝０）における、画素２の縦方向の視野角特性を示している。比較例の構造では遮光部２４が無いことで、第３の副画素２Ｂの縦方向の開口幅が広くなる。これに起因し、縦方向の視野角特性において、白色表示時に表示面に対して角度をつけて見た像は、第３の副画素２Ｂの刺激値Ｚが相対的に大きくなり、例えば青の色つきが生じる。これに対して、本実施の形態による画素２の配列構造では、第３の副画素２Ｂ内に遮光部２４を設けたことで、第３の副画素２Ｂの視野角特性（刺激値Ｚ）を制御し、色つきを少なくすることができる。また、横方向の視野角特性においては、波長の短い第３の副画素２Ｂの横方向の開口幅を他の副画素より小さくすることで、各副画素の横方向の視野角特性が一致し、色つきが改善される。このようにして、視認性を良好に保持したまま、広開口化（長寿命化）と広視野角化との両立が可能となる。
【００６１】
なお、本明細書に記載された効果はあくまでも例示であって限定されるものではなく、また他の効果があってもよい。以降の他の実施の形態および変形例についても同様である。
【００６２】
［１．４  変形例］
（１．４．１  第１の変形例）
図１６は、第１の変形例における画素２の色フィルタ部分の配列構造の一例を示している。図１６に示したように、遮光部２４の平面形状を略楕円形状にしてもよい。
【００６３】
（１．４．２  第２の変形例）
図１７は、第２の変形例における画素２の色フィルタ部分の配列構造の一例を示している。図１７に示したように、遮光部２４の平面形状を略円形状にしてもよい。
【００６４】
なお、遮光部２４の平面形状は、これまでに説明した長方形状、楕円形状、または円形状に限らず、その他の任意の平面形状を採用することが可能である。
【００６５】
（１．４．３  第３の変形例）
図１８は、第３の変形例における画素２の色フィルタ部分の配列構造の一例を示している。図１９は、１画素分の色フィルタ部分の構成の一例を示している。図１８および図１９に示したように、遮光部２４の第１の遮光部分２４−１の横方向の幅ＬBM-H1と、第２の遮光部分２４−２の横方向の幅ＬBM-H2とが異なっていてもよい。
【００６６】
（１．４．４  第４の変形例）
図２０は、第４の変形例における画素２の断面構造の一例を示している。図２０に示したように、図５に示した断面構造に対して中間層３０から樹脂層３２を省いた構成であってもよい。
【００６７】
（１．４．５  第５の変形例）
図２１は、第５の変形例における画素２の断面構造の一例を示している。図２１に示したように、図５に示した断面構造に対して遮光部２４を設ける厚み方向（Ｚ方向）の位置が異なっていてもよい。図５に示した断面構造では中間層３０とは反対側に遮光部２４が設けられているが、図２１に示したように中間層３０に近い側に遮光部２４が設けられていてもよい。
【００６８】
＜２．第２の実施の形態＞（１画素内において中心部とは異なる位置に遮光部２４を配置する例）
［２．１  構成］
本実施の形態では、上記第１の実施の形態に係る表示装置１と比べて、画素２の配列構造、特に遮光部２４の配置位置が異なっている。
なお、本実施の形態において、画素２の配列構造、特に遮光部２４の配置位置に関する部分以外の構成、作用および効果は、上記第１の実施の形態と略同様であってもよい。また、本実施の形態と上記第１の実施の形態の変形例とを組み合わせた構成も可能である。
【００６９】
図２２は、本実施の形態における画素２の色フィルタ部分の配列構造の一例を示している。図２３は、本実施の形態における１画素分の色フィルタ部分の構成の一例を示している。図２４は、画素２の発光素子の配列構造の一例を示している。
【００７０】
本実施の形態における画素２の配列構造では、遮光部２４における第２の遮光部分２４−２が、第１の方向において、第３の副画素２Ｂ内の中心部とは異なる位置に設けられている。これにより、１画素内において、第２の遮光部分２４−２を境界として、第３の副画素２Ｂ内の第１の画素領域２Ｂ−１と第２の画素領域２Ｂ−２とのそれぞれの領域の大きさ（開口の大きさ）が異なっている。これにより、第１の画素領域２Ｂ−１の視野角特性と第２の画素領域２Ｂ−２の視野角特性とを異ならせている。なお、図２２において、Ｌsubpix3-V1は第１の画素領域２Ｂ−１の縦方向の開口幅を示す。Ｌsubpix3-V2は第２の画素領域２Ｂ−２の縦方向の開口幅を示す。
【００７１】
本実施の形態において、第１の発光素子１０Ｒ、第２の発光素子１０Ｇ、および第３の発光素子１０Ｂの平面形状は、図２４に示したように、色フィルタ２３と遮光部２４の配置位置とに応じた形状となっていることが好ましい。第３の発光素子１０Ｂは、１画素内において第２の遮光部分２４−２が設けられた位置に対応する部分で分割されていることが好ましい。第２の方向において、第３の発光素子１０Ｂの幅と、遮光部２４の幅とが異なっていてもよい。第１の発光素子１０Ｒ、第２の発光素子１０Ｇ、および第３の発光素子１０Ｂはそれぞれ、発光層１６（発光面）と下部電極１４（反射面）とを有していてもよい。
【００７２】
［２．２  作用および効果］
図２５は、本実施の形態における第３の副画素２Ｂの縦方向の視野角特性を示している。図２５の左側には、第３の副画素２Ｂ内の第１の画素領域２Ｂ−１と第２の画素領域２Ｂ−２とのそれぞれの視野角特性を独立して示している。図２５の右側には、第３の副画素２Ｂの全体の視野角特性を示している。
【００７３】
遮光部２４の位置を１画素内の中心部からずらし、第３の副画素２Ｂの１画素内の上下の開口幅を変えることで視野角特性を調整することが可能である。第３の副画素２Ｂの全体の視野角特性は、縦方向に広い画素（第２の画素領域２Ｂ−２）の視野角特性と狭い画素（第１の画素領域２Ｂ−１）の視野角特性との和となるため、図２５の右側に示したように、全体の視野角特性に変曲点を設けることができ、視野角特性の細かな調整が可能となる。
【００７４】
＜３．第３の実施の形態＞（４色型の表示装置１Ａの例）
図２６は、本実施の形態に係る表示装置１Ａの平面構成の一例を表したものである。本実施の形態に係る表示装置１Ａは、第１の副画素２Ｒ、第２の副画素２Ｇ、および第３の副画素２Ｂに、第４の副画素２Ｗを加えた４色の副画素を有する画素２Ａを、第１の方向および第２の方向にマトリクス状に複数、配置した構成となっている。
なお、本実施の形態において、画素２Ａの配列構造に関する部分以外の構成、作用および効果は、上記第１の実施の形態と略同様であってもよい。
【００７５】
本実施の形態に係る表示装置１Ａでは、第４の副画素２Ｗが、第１の副画素２Ｒに対して第２の方向（Ｘ方向）に隣接配置されている。第３の副画素２Ｂは、第２の副画素２Ｇに対して第２の方向（Ｘ方向）に隣接配置されると共に、第４の副画素２Ｗに対して第１の方向（Ｙ方向）に隣接配置されている。
【００７６】
なお、図示した副画素の配置例に限らず、例えば第４の副画素２Ｗと第３の副画素２Ｂとが逆の配置になっていてもよい。すなわち、第１の副画素２Ｒに対して第２の方向（Ｘ方向）に第３の副画素２Ｂが隣接配置され、第２の副画素２Ｇに対して第２の方向（Ｘ方向）に第４の副画素２Ｗが隣接配置された構成であってもよい。
【００７７】
以下、図２７〜図２９、および図３０〜図３２を参照して、画素２Ａの配列構造の第１の例、および第２の例を説明する。各画素２Ａは、所定の色光を発する発光素子と、所定の色光を透過する色フィルタ２３Ａとを有している。第４の副画素２Ｗは、第４の色光を発する第４の発光素子と、第４の発光素子からの第４の色光を透過する第４の色フィルタ２３Ｗとを含んでいる。第４の副画素２Ｗの第４の発光素子は、例えば白色光を発するものである。
【００７８】
［３．１  画素２Ａの配列構造の第１の例］
図２７は、画素２Ａの色フィルタ部分の配列構造の第１の例を示している。図２８は、図２７に示した第１の例における１画素分の色フィルタ部分の構成の一例を示している。図２９は、図２７に示した第１の例において遮光部２４Ａを省いた色フィルタ２３Ａのみの配列構造の一例を示している。
【００７９】
遮光部２４Ａは、第１の副画素２Ｒおよび第３の副画素２Ｂとの境界部分を含むように、第４の副画素２Ｗの周囲に配置されている。遮光部２４Ａは、第１の方向における第３の副画素２Ｂの視野角を制限すると共に、第４の副画素２Ｗの第１の方向および第２の方向の視野角を制限している。
【００８０】
遮光部２４Ａは、第１の遮光部分２４−１と、第２の遮光部分２４−２と、第３の遮光部分２４−３と、第４の遮光部分２４−４とからなる。第１の遮光部分２４−１は、第１の方向における隣り合う画素の境界部分に設けられている。第２の遮光部分２４−２は、１画素内における第３の副画素２Ｂと第４の副画素２Ｗとの境界部分に設けられている。第３の遮光部分２４−３は、第２の方向における隣り合う画素の境界部分に設けられている。第４の遮光部分２４−４は、１画素内における第１の副画素２Ｒと第４の副画素２Ｗとの境界部分に設けられている。
【００８１】
なお、図２７において、Ｌsubpix4-Hは第４の副画素２Ｗの横方向の開口幅、Ｌsubpix4-Vは第４の副画素２Ｗの縦方向の開口幅を示す。
【００８２】
図２９に示したように、第１の色フィルタ２３Ｒと第２の色フィルタ２３Ｇとは略同じ大きさとなっている。また、第３の副画素２Ｂと第４の色フィルタ２３Ｗとは略同じ大きさとなっている。第３の色フィルタ２３Ｂおよび第４の色フィルタ２３Ｗの横方向の幅は、第１の色フィルタ２３Ｒおよび第２の色フィルタ２３Ｇの横方向の幅よりも小さいことが好ましい。
【００８３】
［３．２  画素２Ａの配列構造の第２の例］
図３０は、画素２Ａの色フィルタ部分の配列構造の第２の例を示している。図３１は、図３０に示した第２の例における１画素分の色フィルタ部分の構成の一例を示している。図３２は、図３０に示した第２の例において遮光部２４Ａを省いた色フィルタ２３Ａのみの配列構造の一例を示している。
【００８４】
この第２の例においても、上記第１の例と同様に、遮光部２４Ａは、第１の副画素２Ｒおよび第３の副画素２Ｂとの境界部分を含むように、第４の副画素２Ｗの周囲に配置されている。遮光部２４Ａは、上記第１の例と同様に、第１の遮光部分２４−１と、第２の遮光部分２４−２と、第３の遮光部分２４−３と、第４の遮光部分２４−４とからなる。
【００８５】
なお、図３０において、Ｌsubpix4-Hは第４の副画素２Ｗの横方向の開口幅、Ｌsubpix4-Vは第４の副画素２Ｗの縦方向の開口幅を示す。
【００８６】
この第２の例では、図３２に示したように、第１の色フィルタ２３Ｒと、第２の色フィルタ２３Ｇと、第３の色フィルタ２３Ｂと、第４の色フィルタ２３Ｗとのそれぞれの大きさが異なっている。第３の色フィルタ２３Ｂおよび第４の色フィルタ２３Ｗの横方向の幅は、第１の色フィルタ２３Ｒおよび第２の色フィルタ２３Ｇの横方向の幅よりも小さいことが好ましい。
【００８７】
＜４．表示装置の電子機器への適用例＞
上記各実施の形態において説明した表示装置１，１Ａは、例えば次に示したような、画像（あるいは映像）表示を行う、あらゆる分野の電子機器に搭載することができる。
【００８８】
［４．１  第１の適用例］
図３３は、表示装置１，１Ａが適用されるヘッドマウントディスプレイの外観を表したものである。このヘッドマウントディスプレイは、例えば、眼鏡形の表示部７１の両側に、使用者の頭部に装着するための耳掛け部７２を有しており、その表示部７１は、上記各実施の形態に係る表示装置１，１Ａにより構成されている。本開示による表示装置１，１Ａをヘッドマウントディスプレイの表示部７１に適用することにより、広開口化と広視野角化とを両立することができるため、ヘッドマウントディスプレイの商品性向上に貢献することができる。
【００８９】
［４．２  第２の適用例］
図３４および図３５は、表示装置１，１Ａが適用される撮像装置（レンズ交換式一眼レフレックスタイプのデジタルカメラ）の外観を表したものである。この撮像装置は、例えば、図３４に示したように、カメラ本体部（カメラボディ）２１１の正面右側に交換式の撮影レンズユニット（交換レンズ）２１２を有し、正面左側に撮影者が把持するためのグリップ部２１３を有している。カメラ本体部２１１の背面略中央には、図３５に示したように、モニタ２１４が設けられている。図３５に示したように、モニタ２１４の上部には、ビューファインダ（接眼窓）２１５が設けられている。撮影者は、ビューファインダ２１５を除くことによって、撮影レンズユニット２１２から導かれた被写体の光像を視認して構図決定を行うことが可能である。このビューファインダ２１５は、上記各実施の形態に係る表示装置１，１Ａにより構成されている。本開示による表示装置１，１Ａを撮像装置のビューファインダに適用することにより、広開口化と広視野角化とを両立することができるため、撮像装置の商品性向上に貢献することができる。
【００９０】
本開示による技術は、上記の適用例において特に電子機器に対する貢献が大きいが、上記各適用例に限定されず、種々の電子機器に適用が可能である。
【００９１】
＜５．その他の実施の形態＞
本開示による技術は、上記各実施の形態の説明に限定されず種々の変形実施が可能である。
【００９２】
例えば、上記各実施の形態では、第１の方向が表示面内の縦方向（Ｙ方向）、第２の方向が表示面内の横方向（Ｘ方向）であるものとして画素の配列構造を説明したが、第１の方向を横方向（Ｘ方向）、第２の方向を縦方向（Ｙ方向）とした画素の配列構造であってもよい。
【００９３】
例えば、図１および図２に示した上記第１の実施の形態に係る表示装置１の画素２の配列構造を、図３６および図３７に示した表示装置１Ｂのような配列構造にしてもよい。すなわち、図３６および図３７に示した表示装置１Ｂのように、第１の副画素２Ｒと第２の副画素２Ｇとが横方向（Ｘ方向）に互いに隣接配置され、第３の副画素２Ｂが、第１の副画素２Ｒおよび第２の副画素２Ｇの双方に対して縦方向（Ｙ方向）に隣接配置された配列構造であってもよい。
【００９４】
また例えば、本技術は以下のような構成を取ることができる。
（１）
第１の方向および第２の方向に配列された複数の画素を備え、
前記各画素は、
第１の副画素と、
前記第１の副画素に対して前記第１の方向に隣接配置された第２の副画素と、
前記第１の副画素および前記第２の副画素の少なくとも一方に対して前記第２の方向に隣接配置された第３の副画素と、
前記第１の方向における前記第３の副画素の視野角を制限するように、前記第３の副画素の配置位置に対応して配置された遮光部と
を有する表示装置。
（２）
前記第３の副画素は、前記第１の副画素および前記第２の副画素の双方に対して前記第２の方向に隣接配置され、
前記遮光部は、前記第１の方向において、隣り合う画素の境界部分に設けられた第１の部分と、１画素内における前記第３の副画素内に設けられた第２の部分とを含む
上記（１）に記載の表示装置。
（３）
前記第２の方向において、前記遮光部の幅は、前記第３の副画素の開口幅よりも短い
上記（２）に記載の表示装置。
（４）
前記第１の副画素は第１の色光を透過する第１の色フィルタを含み、
前記第２の副画素は第２の色光を透過する第２の色フィルタを含み、
前記第３の副画素は第３の色光を透過する第３の色フィルタを含み、
前記第１の色フィルタと前記第２の色フィルタとによって、前記第１の副画素と前記第２の副画素とが前記第１の方向に互いに色分離がなされると共に、前記第３の副画素が前記第２の方向に色分離がなされ、
前記第３の色フィルタによって、前記第１の副画素および前記第２の副画素が前記第２の方向に色分離がなされる
上記（２）または（３）に記載の表示装置。
（５）
前記第１の部分と前記第２の部分は、互いに大きさが異なる
上記（２）ないし（４）のいずれか１つに記載の表示装置。
（６）
前記第２の部分は、前記第１の方向において、前記第３の副画素内の中心部に設けられている
上記（２）ないし（５）のいずれか１つに記載の表示装置。
（７）
前記第２の部分は、前記第１の方向において、前記第３の副画素内の中心部とは異なる位置に設けられている
上記（２）ないし（５）のいずれか１つに記載の表示装置。
（８）
１画素内において、前記第２の部分を境界として、前記第３の副画素内に第１の画素領域と第２の画素領域とが形成され、
前記第１の画素領域の視野角特性と前記第２の画素領域の視野角特性とが異なる
上記（７）に記載の表示装置。
（９）
前記遮光部は、長方形状、楕円形状、または円形状である
上記（２）ないし（８）のいずれか１つに記載の表示装置。
（１０）
前記第１の副画素は第１の色光を発する第１の発光素子を含み、
前記第２の副画素は第２の色光を発する第２の発光素子を含み、
前記第３の副画素は第３の色光を発する第３の発光素子を含み、
前記第３の発光素子は、１画素内において前記第２の部分が設けられた位置に対応する部分で分割されている
上記（２）ないし（９）のいずれか１つに記載の表示装置。
（１１）
前記第２の方向において、前記第３の発光素子の幅と、前記遮光部の幅とが異なる
上記（１０）に記載の表示装置。
（１２）
前記第１の副画素から第１の色光が発せられ、
前記第２の副画素から第２の色光が発せられ、
前記第３の副画素から、前記第１の色光および前記第２の色光よりも波長の短い第３の色光が発せられ、
前記第２の方向において、前記第３の副画素の開口幅が、前記第１の副画素の開口幅および前記第２の副画素の開口幅よりも短い
上記（１）ないし（１１）のいずれか１つに記載の表示装置。
（１３）
前記各画素は、前記第１の副画素に対して前記第２の方向に隣接配置された第４の副画素をさらに有し、
前記第３の副画素は、前記第２の副画素に対して前記第２の方向に隣接配置されると共に、前記第４の副画素に対して前記第１の方向に隣接配置され、
前記遮光部は、前記第１の副画素および前記第３の副画素との境界部分を含むように、前記第４の副画素の周囲に配置されている
上記（１）に記載の表示装置。
（１４）
前記遮光部は、前記第１の方向における前記第３の副画素の視野角を制限すると共に、前記第４の副画素の前記第１の方向および前記第２の方向の視野角を制限する
上記（１３）に記載の表示装置。
（１５）
複数の画素が第１の方向および第２の方向に配列された表示装置を備え、
前記各画素は、
第１の副画素と、
前記第１の副画素に対して前記第１の方向に隣接配置された第２の副画素と、
前記第１の副画素および前記第２の副画素の少なくとも一方に対して前記第２の方向に隣接配置された第３の副画素と、
前記第１の方向における前記第３の副画素の視野角を制限するように、前記第３の副画素の配置位置に対応して配置された遮光部と
を有する電子機器。
【符号の説明】
【００９５】
１，１Ａ，１Ｂ…表示装置、２，２Ａ…画素、２Ｒ…第１の副画素、２Ｇ…第２の副画素、２Ｂ…第３の副画素、２Ｗ…第４の副画素、２Ｂ−１…第１の画素領域、２Ｂ−２…第２の画素領域、１０Ｒ…第１の発光素子、１０Ｇ…第２の発光素子、１０Ｂ…第３の発光素子、１１…第１の基板、１２…平坦化絶縁膜、１２Ａ…接続孔、１４…下部電極、１５…電極間絶縁膜、１６…有機層、１６Ａ…正孔注入層、１６Ｂ…正孔輸送層、１６Ｃ…発光層、１６Ｄ…電子輸送層、１６Ｅ…電子注入層、１７…上部電極、２１…第２の基板、２３，２３Ａ…色フィルタ、２３Ｒ…第１の色フィルタ、２３Ｇ…第２の色フィルタ、２３Ｂ…第３の色フィルタ、２３Ｗ…第４の色フィルタ、２４，２４Ａ…遮光部、２４−１…第１の遮光部分、２４−２…第２の遮光部分、２４−３…第３の遮光部分、２４−４…第４の遮光部分、２５…色境界、３０…中間層、３１…保護膜、３２…樹脂層、１１０…表示領域、１２０…信号線駆動回路、１２０Ａ…信号線、１３０…走査線駆動回路、１３０Ａ…走査線、１４０…画素駆動回路、Ｃｓ…保持容量、Ｉｄ…駆動電流、Ｔｒ１…駆動トランジスタ、Ｔｒ２…書き込みトランジスタ、７１…表示部、７２…耳掛け部、２１１…カメラ本体部、２１２…撮影レンズユニット、２１３…グリップ部、２１４…モニタ、２１５…ビューファインダ、ＤG…ギャップ、ＬＲ…第１の色光、ＬＧ…第２の色光、ＬＢ…第３の色光、ＭＣ１…共振器構造。
【図１】
2015146304.tif 000003
【図２】
2015146304.tif 000004
【図３】
2015146304.tif 000005
【図４】
2015146304.tif 000006
【図５】
2015146304.tif 000007
【図６】
2015146304.tif 000008
【図７】
2015146304.tif 000009
【図８】
2015146304.tif 000010
【図９】
2015146304.tif 000011
【図１０】
2015146304.tif 000012
【図１１】
2015146304.tif 000013
【図１２】
2015146304.tif 000014
【図１３】
2015146304.tif 000015
【図１４】
2015146304.tif 000016
【図１５】
2015146304.tif 000017
【図１６】
2015146304.tif 000018
【図１７】
2015146304.tif 000019
【図１８】
2015146304.tif 000020
【図１９】
2015146304.tif 000021
【図２０】
2015146304.tif 000022
【図２１】
2015146304.tif 000023
【図２２】
2015146304.tif 000024
【図２３】
2015146304.tif 000025
【図２４】
2015146304.tif 000026
【図２５】
2015146304.tif 000027
【図２６】
2015146304.tif 000028
【図２７】
2015146304.tif 000029
【図２８】
2015146304.tif 000030
【図２９】
2015146304.tif 000031
【図３０】
2015146304.tif 000032
【図３１】
2015146304.tif 000033
【図３２】
2015146304.tif 000034
【図３３】
2015146304.tif 000035
【図３４】
2015146304.tif 000036
【図３５】
2015146304.tif 000037
【図３６】
2015146304.tif 000038
【図３７】
2015146304.tif 000039